(57)【要約】【課題】カードにサインされた署名とカード決済の際に使用される伝票にサインされた署名とを容易に確認でき、カードの不正使用を抑制・低減することができるカード伝票処理板を提供することを目的とする。【解決手段】伝票ａを着脱自在に保持する伝票保持部２と、カードｂを抜き差し自在に保持するカード保持部３とを備え、カード保持部３の少なくとも一部がカード表裏に表示された文字等を透かしてみることが可能な透明又は半透明な構造をなし、伝票保持部２及びカード保持部３が保持された伝票ａ及びカードｂが重なり合わない位置に、それぞれ配置されたことを特徴とする。【選択図】        図１
2004223838.tif 000002
【特許請求の範囲】
【請求項１】
伝票を着脱自在に保持する伝票保持部と、カードを抜き差し自在に保持するカード保持部とを備え、前記カード保持部の少なくとも一部がカード表裏に表示された文字等を透かしてみることが可能な透明又は半透明な構造をなし、前記伝票保持部及びカード保持部がこれらにより保持された伝票及びカードが重なり合わない位置に、それぞれ配置されたことを特徴とするカード伝票処理板。
【請求項２】
前記伝票保持部が伝票を挟み込むクリップから構成されたことを特徴とする請求項１記載のカード伝票処理板。
【請求項３】
前記カード保持部が透明又は半透明のポケットから構成されたことを特徴とする請求項１記載のカード伝票処理板。
【請求項４】
取り扱いできるカードの種類等を表示した提携カードブランド表示部が前記伝票保持部及びカード保持部により保持された伝票及びカードと重なり合わない位置に設けられたことを特徴とする請求項１記載のカード伝票処理板。
【請求項５】
カード取り扱い時に店側のスタッフが注意すべき事項を表示するカード取扱注意事項表示部が設けられたことを特徴とする請求項１記載のカード伝票処理板。
【請求項６】
カード承認番号を取得するための情報を表示するカード承認番号取得情報表示部が設けられたことを特徴とする請求項１記載のカード伝票処理板。
【発明の詳細な説明】
【０００１】
【発明が属する技術分野】
本発明は、クレジットカード等のカード決済時に使用するカード伝票処理板に関するものである。
【０００２】
【従来の技術】
キャッシュレスで買い物などをできるためクレジットカード決済が急速に進展している。
【０００３】
【発明が解決しようとする課題】
クレジットカード決済時にカードの持ち主かどうかを確認するには、カードの裏面にサインされた署名とカード取扱時に使用する伝票にサインされた署名とを見比べることが広く行われている。
【０００４】
落ち着いた環境であればカードの署名と伝票の署名とを見比べることは十分に可能であるが、慌ただしい環境や不慣れなものが多く働く環境（例えばガソリンスタンド）などでは、カード決済の署名の確認が不十分になったり、全く行われなかったりする場合がある。
【０００５】
カード持ち主が使用した場合には全く問題がないが、カード持ち主ではないものに使用された場合などのいわゆる不正使用の場合には、カード決済の代金請求がカード持ち主にされ、カード持ち主が自身の使用でないことを証明した場合には、代金はカード会社の損金となってしまう。近年、このような不正使用による損金額が急増しており、カード会社としては何らかの対策を行う必要に迫られている。
【０００６】
本発明は、かかる事情に鑑みてなされたもので、カードにサインされた署名とカード決済の際に使用される伝票にサインされた署名とを容易に確認でき、カードが不正使用されることを抑制・低減することができるカード伝票処理板を提供することを目的とする。
【０００７】
【課題を解決するための手段】
本発明の請求項１記載のカード伝票処理板は、伝票を着脱自在に保持する伝票保持部と、カードを抜き差し自在に保持するカード保持部とを備え、前記カード保持部の少なくとも一部がカード表裏に表示された文字等を透かしてみることが可能な透明又は半透明な構造をなし、前記伝票保持部及びカード保持部がこれらにより保持された伝票及びカードが重なり合わない位置に、それぞれ配置されたことを特徴とする。
【０００８】
これにより、カードの記載事項と伝票の記載事項とを、カード保持部及び伝票保持部に保持されたカードと伝票とを見比べることにより、容易かつ迅速かつ確実に確認することができる。
【０００９】
本発明の請求項２記載のカード伝票処理板は、前記伝票保持部が伝票を挟み込むクリップから構成されたことを特徴とする。
【００１０】
これにより、伝票を傷つけることなく確実に保持することができる。
【００１１】
本発明の請求項３記載のカード伝票処理板は、前記カード保持部が透明又は半透明のポケットから構成されたことを特徴とする。
【００１２】
これにより、カードの抜き差しが極めて容易であるとともに、抜け落ちることも低減できる。透明又は半透明のポケットであるので、カードの記載事項（特に裏面に表示された署名）を透かしてみることができ、確認が容易にできる。
【００１３】
本発明の請求項４記載のカード伝票処理板は、取り扱いできるカードの種類等を表示した提携カードブランド表示部が伝票保持部及びカード保持部により保持された伝票及びカードと重なり合わない位置に設けられたことを特徴とする。
【００１４】
これにより、提携カードブランド表示部を見ることにより、店側のスタッフ及びカード利用者の双方がそのカードが取り扱いできるか否かを確認することができる。
【００１５】
本発明の請求項５記載のカード伝票処理板は、カード取り扱い時に店側のスタッフが注意すべき事項を表示するカード取扱注意事項表示部が設けられたことを特徴とする。
【００１６】
これにより、カード決済を扱う店側のスタッフが、カード取扱注意事項表示部を見ることにより、カード決済の際に注意すべき事項を確認することができ、不慣れなスタッフであっても確認事項を漏れなくチェックすることができる。
【００１７】
本発明の請求項６記載のカード伝票処理板は、カード承認番号を取得するための情報を表示するカード承認番号取得情報表示部が設けられたことを特徴とする。
【００１８】
これにより、カード承認番号取得情報表示部を見ることにより、一定額以上のカード取引の際に必要とされるカード承認番号を取得するための情報を簡単にかつ迅速に得ることができる。
【００１９】
【発明の実施の形態】
以下に図１及び図２を参照して、本発明の実施の形態に係るカード伝票処理板について説明する。図１はカード伝票処理板の表面を示す図であり、図２はカード伝票処理板の裏面を示す図である。
【００２０】
本カード伝票処理板は、表裏を有する板状の本体部１からなり、本体部１の表面には、伝票ａを着脱自在に保持するクリップ２（本発明の伝票保持部を構成する。）と、カードを抜き差し自在に保持するポケット３（本発明のカード保持部を構成する。）とが、それぞれ保持された伝票ａ及びカードｂが重なり合わない位置に配置されている。
【００２１】
ポケット３は、透明又は半透明の方形状のシート部材３ａの左側縁部３ｂ及び下縁部３ｃを本体部１に溶着又は接着して形成される。ポケット３の左側上方からクレジットカードｂを挿入し、本体部１とシート部材３ａとの間に抜き差し自在に保持させる。ポケット３に保持されたカードｂの表面又は裏面に表示された文字等を透かしてみることが可能であるとともに、カードｂを確実に保持することができる。
【００２２】
クリップ２はポケット３の斜め下側に配置され、クリップ２により伝票ａの左端を挟むことにより伝票ａは本体部１のほぼ中央部に位置する。伝票ａに必要事項を記載する際にもポケット３等が邪魔にならない。また、カードｂが伝票は記入者の手の陰にもならないので、確認の邪魔にもならない。
【００２３】
本体部１には、取り扱いできるカードの種類等を表示した提携カードブランド表示部４が、保持された伝票ａ及びカードｂと重なり合わない位置に設けられている。図１に示すものでは、提携カードブランド表示部４は前記伝票保持部であるクリップ２の上部に配置されている。提携カードブランド表示部４は、四角の升目が複数形成されその升目の中にカードブランドを示すロゴが印刷等の方法で表示されている。伝票にサインする者が直ちに自己のカードが取扱カードであるかどうかを確認することができると共に、手続きに不慣れな店側のスタッフ（例えばアルバイト店員など）にとってもお客の提示したカードが取扱カードであるかどうかを即時に確認することができる。
【００２４】
本体部１には、カード取り扱い時に店側のスタッフが注意すべき事項を表示するカード取扱注意事項表示部５が、保持された伝票ａ及びカードｂと重なり合わない位置に設けられている。図１に示すものでは、カード取扱注意事項表示部５は、伝票保持部であるクリップ２の右側であってポケット３の下側に配置されている。
【００２５】
カード取扱注意事項表示部４には例えば以下のような注意書きが印刷等の方法で表示されている。
●カード取扱いの注意点
１．カード真偽の確認
・カード会社のブランドがあること
・有効期間が切れていないこと
・カード裏面にサインがあること
・販売停止の連絡を受けていないこと
２．売上伝票への署名について
・署名はカード裏面と同じサインを記入していただくこと
３．電話での承認番号取得について
・１回の利用金額（伝票が１枚）が１万円以上、または伝票が複数に分かれていても合計額が１万円以上の場合には電話で承認番号を取得すること
【００２６】
カード取扱注意事項表示部４により、最低限のチェック事項をチェックリスト形式で表示することによって、不慣れなスタッフであっても確実かつ迅速にチェックすることができる。
【００２７】
カード取扱注意事項表示部５の下方には、連絡先表示部６が表示されている。連絡先表示部６には、下記のような記載が印刷等の方法により表示されている。
困ったときはカード会社に連絡！！
石油カードセンター電話番号  ＊＊＊−＊＊＊−＊＊＊＊
【００２８】
店側のスタッフが連絡先表示部６に示された電話番号に電話をすることによりトラブルやトラブルになりそうな事態を迅速に解消することができる。
【００２９】
本体部１の右隅には、石油元売り会社などの会社のロゴが記載されたロゴ表示部７が形成されている。また、本体部１の下段部にはロゴ表示部７に表示された会社が発行する自社ブランドのカードを表示する自社ブランドカード表示部８が形成されている。この自社ブランドカード表示部８は自社ブランドカードの宣伝用に表示されるものである。
【００３０】
本体部１の裏面には、図２に示すように、カード承認番号を取得するための情報を表示するカード承認番号取得情報表示部９が設けられている。カード承認番号取得情報表示部９は、例えば、「あなたのＳＳの提携クレジットカード承認番号電話問合せ先一覧」のタイトル及び提携カード会社名、問い合わせ電話番号、受付時間（平日及び土日祝日）、受付時間外の連絡先又は対応方法などが表形式で表示されている。
【００３１】
カード承認番号取得情報表示部９により、提携カード会社毎の対応を直ちに知ることができ、確認や問い合わせ作業を短縮化することができ、お客を待たせる時間も短くすることができる。
【００３２】
本体部１の裏面の下段には、その他注意事項表示部１０が表示されている。その他注意事項表示部１０には、例えば以下のような記載が印刷等により表示されている。
困ったことは、各提携カード会社へ連絡ください
・承認番号未取得で１万円未満の複数伝票売上は、分割売上とみなされ売上買戻し（チャージバック）のリスクに繋がります
・カード裏面にサインのない場合、会員様よりカード会社へ連絡戴いただき、本人確認を実施してください
【００３３】
その他注意事項表示部１０によりその他の注意を喚起することができる。
【００３４】
本カード伝票処理板を用いると、慌ただしい環境や不慣れなものが働く環境などであっても、一つの本体部１に伝票ａとカードｂとが互いに重なり合わないように、保持されていて、カードの裏面にサインされた署名とカード取扱時に使用する伝票にサインされた署名とを見比べることが簡単かつ確実に行うことができる。したがって、カード決済の署名の確認が不十分になったり、全く行われなかったりすることを低減することができ、いわゆる不正使用の低減を図ることができる。
【００３５】
【発明の効果】
以上説明したように本発明のカード伝票処理板は、以下のような効果を奏する。
【００３６】
（１）カードの記載事項と伝票の記載事項とを、カード保持部及び伝票保持部に保持されたカードと伝票とを見比べることにより、容易かつ迅速かつ確実に確認を行うことができる。
【００３７】
（２）クリップにより、伝票を傷つけることなく確実に保持することができる。
【００３８】
（３）透明又は半透明のポケットにより、カードの抜き差しが極めて容易であるとともに、抜け落ちることも低減でき、カードの記載事項（特に裏面に表示された署名）を透かしてみることができ、確認が容易にできる。
【００３９】
（４）提携カードブランド表示部を見ることにより、店側のスタッフ及びカード利用者の双方がそのカードが取り扱いできるか否かを確認することができる。
【００４０】
（５）カード決済を扱う店側のスタッフが、カード取扱注意事項表示部を見ることにより、カード決済の際に注意すべき事項を確認することができ、不慣れなスタッフであっても確認事項を漏れなくチェックすることができる。
【００４１】
（６）カード承認番号取得情報表示部を見ることにより、一定額以上のカード取引の際に必要とされるカード承認番号を取得するための情報を簡単にかつ迅速に得ることができる。
【図面の簡単な説明】
【図１】本発明の実施の形態にかかるカード伝票処理板の表面を示す図である。
【図２】本発明の実施の形態にかかるカード伝票処理板の裏面を示す図である。
【符号の説明】
１    本体部
２    クリップ
３    ポケット
４    提携カードブランド表示部
５    カード取扱注意事項表示部
９    カード承認番号取得情報表示部
【図１】
2004223838.tif 000003
【図２】
2004223838.tif 000004